(57)【要約】【課題】人体動作を補足して電子装置に識別させる慣性検出入力制御装置と受信装置及びそのインタラクティブシステム。【解決手段】慣性検出入力制御装置は慣性検出モジュールを包含して肢体が時間に伴い行う連続動作のパラメータを検出し、並びに該パラメータを受信装置に伝送する。このほか、該慣性検出入力制御装置は複数種類の異なる入力モードを整合し、受信装置は動作パラメータを受信した後に、該入力モードに基づき、電子装置を異なる操作モードに進入させる。また、該慣性検出入力制御装置の生成するパラメータは直接電子装置に伝送可能で、電子装置に更にパラメータに基づき動作或いは状況の判定を行わせてインタラクティブ動作の多様性を増す。【選択図】図１
2009048600.tif 000002
【特許請求の範囲】
【請求項１】
慣性検出入力制御装置において、
少なくとも一つの操作動作を検出し少なくとも一つの慣性検出パラメータを生成する少なくとも一つの慣性センサを具えた慣性検出モジュールと、
少なくとも一つの入力信号を生成するインタフェースユニットと、
少なくとも一つの入力モードを選択し切り換えられる切り換えユニットと、
該慣性検出モジュール、該インタフェースユニット及び該切り換えユニットと接続されて、該少なくとも一つの慣性検出パラメータ、該少なくとも一つの入力信号及び該少なくとも一つの入力モードに基づき、制御信号を生成して電子装置に伝送する無線伝送制御ユニットと、
を包含する、慣性検出入力制御装置。
【請求項２】
慣性検出入力制御装置において、
少なくとも一つの操作動作を検出し少なくとも一つの第１慣性検出パラメータを生成する少なくとも一つの第１慣性センサを具えた慣性検出モジュールと、
少なくとも一つの入力信号を生成するインタフェースユニットと、
少なくとも一つの入力モードを選択し切り換えられる切り換えユニットと、
少なくとも一つの操作動作を検出し第２慣性検出パラメータを生成する複数の第２慣性センサと、
該慣性検出モジュール、該インタフェースユニット及び該切り換えユニットと接続されて、該第２慣性検出パラメータを受信し、該少なくとも一つの第１及び第２慣性検出パラメータ、該少なくとも一つの入力信号及び該少なくとも一つの入力モードに基づき、制御信号を生成し該慣性検出パラメータと共に伝送する、無線伝送制御ユニットと、
該制御信号が代表する内容に基づき演算を行う電子装置と、
を包含したことを特徴とする、慣性検出入力制御装置。
【請求項３】
請求項１或いは請求項２記載の慣性検出入力制御装置において、少なくとも一つの慣性センサは少なくとも一つのジャイロスコープ、少なくとも一つの加速度センサ及びその組合せのいずれかとされることを特徴とする、慣性検出入力制御装置。
【請求項４】
請求項１或いは請求項２記載の慣性検出入力制御装置において、少なくとも一つの入力モードはマウス入力モード、ジョイスティック入力モード、キーボード入力モード及びそれらの任意の組合せのいずれかとされることを特徴とする、慣性検出入力制御装置。
【請求項５】
請求項１或いは請求項２記載の慣性検出入力制御装置において、該インタフェースユニットは少なくとも一つの入力素子に接続され、該少なくとも一つの入力素子は十字ボタン、複数の操作キー及びそれらの組合せのイズレカトされることを特徴とする、慣性検出入力制御装置。
【請求項６】
請求項１或いは請求項２記載の慣性検出入力制御装置において、更に受信装置を包含し、該受信装置は、
制御信号を受信し、それをデコードして少なくとも一つの慣性検出パラメータ、少なくとも一つの入力信号及び少なくとも一つの入力モードに復原する受信ユニットと、
該受信ユニットに接続され、並びに該少なくとも一つの慣性検出パラメータに対して演算を行い少なくとも一つの動作信号を解析し、並びに該少なくとも一つの入力信号及び該少なくとも一つの入力モードに基づき操作制御信号を生成する演算ユニットと、
該少なくとも一つの動作信号と該操作制御信号を電子装置に伝送してその演算に供する接続インタフェースユニットと、
を包含することを特徴とする、慣性検出入力制御装置。
【請求項７】
請求項６記載の慣性検出入力制御装置において、該接続インタフェースユニットは有線インタフェース及び無線インタフェースのいずれかが選択され、該有線インタフェースはＵＳＢインタフェースとされ、該無線インタフェースはブルートゥース通信及びＲＦ通信のいずれかが選択されることを特徴とする、慣性検出入力制御装置。
【請求項８】
請求項１或いは請求項２記載の慣性検出入力制御装置において、該電子装置はマイクロコンピュータ、インタラクティブゲーム装置及びマルチメディアインタラクティブ装置のいずれかとされることを特徴とする、慣性検出入力制御装置。
【請求項９】
請求項１或いは請求項２記載の慣性検出入力制御装置において、該無線伝送制御ユニットは該少なくとも一つの第１及び第２慣性検出パラメータを直接該電子装置に伝送可能であることを特徴とする、慣性検出入力制御装置。
【請求項１０】
請求項６記載の慣性検出入力制御装置において、該切り換えユニットが入力モード切り換えを実行可能で、その後に該演算ユニットが切り換え後の入力モードを検出し、検出した入力モードを該電子装置に伝送することを特徴とする、慣性検出入力制御装置。
【請求項１１】
受信装置において、
制御信号を受信し、それをデコードして少なくとも一つの慣性検出パラメータ、少なくとも一つの入力信号及び少なくとも一つの入力モードに復原する受信ユニットと、
該受信ユニットに接続され、並びに該少なくとも一つの慣性検出パラメータに対して演算を行い少なくとも一つの動作信号を解析し、並びに該少なくとも一つの入力信号及び該少なくとも一つの入力モードに基づき操作制御信号を生成する演算ユニットと、
該少なくとも一つの動作信号と該操作制御信号を電子装置に伝送してその演算に供する接続インタフェースユニットと、
を包含することを特徴とする、受信装置。
【請求項１２】
請求項１１記載の受信装置において、該接続インタフェースユニットは有線インタフェース及び無線インタフェースのいずれかが選択され、該有線インタフェースはＰＳ／２インタフェース及びＵＳＢインタフェースのいずれかとされ、該無線インタフェースはブルートゥース通信及びＲＦ通信のいずれかが選択されることを特徴とする、受信装置。
【請求項１３】
請求項１１記載の受信装置において、該電子装置はマイクロコンピュータ、インタラクティブゲーム装置及びマルチメディアインタラクティブ装置のいずれかとされることを特徴とする、受信装置。
【請求項１４】
インタラクティブシステムにおいて、
少なくとも一つの操作動作を検出して少なくとも一つの第１慣性検出パラメータを生成する第１慣性センサを具えた慣性検出モジュールと、
少なくとも一つの入力信号を生成するインタフェースユニットと、
少なくとも一つの入力モードを選択し切り換えられる切り換えユニットと、
少なくとも一つの操作動作を検出して第２慣性検出パラメータを生成する複数の第２慣性センサと、
該慣性検出モジュール、該インタフェースユニット及び該切り換えユニットに接続され、該少なくとも一つの第１及び第２慣性検出パラメータ、該少なくとも一つの入力信号及び該少なくとも一つの入力モードに基づき制御信号を生成並びに伝送する無線伝送制御ユニットと、
該制御信号を受信し、それをデコードして少なくとも一つの慣性検出パラメータ、少なくとも一つの入力信号及び少なくとも一つの入力モードに復原する受信装置と、
該少なくとも一つの慣性検出パラメータ、少なくとも一つの入力信号及び少なくとも一つの入力モードに基づき演算を行う電子装置と、
を包含するインタラクティブシステム。
【発明の詳細な説明】
【技術分野】
【０００１】
本発明は一種の入力と受信装置に係り、特に、肢体動作を検出し並びに異なる入力モードに切り換えて電子装置とインタラクティブ動作を発生可能である、一種の慣性検出入力制御装置と受信装置に関する。
【背景技術】
【０００２】
近年、半導体産業の急速な発展により、電子産業が成長、進歩し、関係する電子装置の演算処理能力も大幅にアップしている。このため、マルチメディアゲームは音声、画像、或いは動画のいずれにおいても大きく発展し、使用者は音声と光の幻想世界に浸り、マルチメディアゲームの快感を出来るようになった。
【０００３】
マルチメディアゲームの画像音声はゲームの面白さに極めて大きな影響を与える。一般には殆どのマルチメディアゲーム中、使用者とゲーム間のコミュニケーションのインタフェースは周知の入力インタフェース、例えば、キーボード、マウス或いはジョイスティックとされる。このためどの種類のマルチメディアゲームであっても、使用者は手部で周知の入力インタフェースを操作してゲームとインタラクティブ動作を実行しなければならず、このためゲームの面白さが減る。
【０００４】
使用者とゲームの間にインタラクティブ動作を発生させるための、周知の技術として、例えば特許文献１にはゲームコントロール装置及びゲームシステムが記載され、それには使用者の動作を利用してゲームをコントロールする、という革命的な操作制御方式が記載されている。このようなゲームシステムを代表するものとして、任天堂の次世代ゲーム機Ｗｉｉ（登録商標）があり、それは肢体の指向或いはスイングの直感動作を、従来のボタン式のジョイスティック操作の代わりに採用し、ゲーム制御の新しい流れをもたらした。
【０００５】
【特許文献１】米国特許公開第２００７００７２６８０号
【特許文献２】米国特許第６，７８２，２４５号
【発明の開示】
【発明が解決しようとする課題】
【０００６】
前述の周知の技術は、多元入力インタフェース整合の技術が欠乏しており、特許文献２にはＵＳＢを具備する無線周辺インタフェースが記載されており、それは無線の方式で異なる入力インタフェースを受信して、更に信号をＵＳＢを通して電子装置に伝送できるものとされる。しかし、この技術は更に各種の異なる入力装置を必要とし、並びに全ての入力装置を一つに整合することはできない。
【０００７】
総合すると、これにより一種の慣性検出入力制御装置と受信装置及びそのインタラクティブシステムを提供して、使用者に整合した操作インタフェースを提供し並びにインタラクティブ操作の効果を達成できるようにすることが必要である。
【課題を解決するための手段】
【０００８】
ある実施例において、本発明は一種の慣性検出入力制御装置を提供し、それは、少なくとも一つの操作動作を検出し少なくとも一つの慣性検出パラメータを生成する少なくとも一つの慣性センサを具えた慣性検出モジュールと、少なくとも一つの入力信号を生成するインタフェースユニットと、複数の入力モードを選択し切り換えられる切り換えユニットと、該慣性検出モジュール、該インタフェースユニット及び該切り換えユニットと接続されて、該少なくとも一つの慣性検出パラメータ、該少なくとも一つの入力信号及び該少なくとも一つの入力モードに基づき、制御信号を生成及び伝送する、無線伝送制御ユニットと、を包含する。
【０００９】
別の実施例において、本発明の提供する慣性検出入力制御装置は、少なくとも一つの操作動作を検出し少なくとも一つの第１慣性検出パラメータを生成する少なくとも一つの第１慣性センサを具えた慣性検出モジュールと、少なくとも一つの入力信号を生成するインタフェースユニットと、少なくとも一つの入力モードを選択し切り換えられる切り換えユニットと、少なくとも一つの操作動作を検出し少なくとも一つの第２慣性検出パラメータを生成する少なくとも一つの第２慣性センサと、該慣性検出モジュール、該インタフェースユニット及び該切り換えユニットと接続されて、該少なくとも一つの第１及び第２慣性検出パラメータ、該少なくとも一つの入力信号及び該少なくとも一つの入力モードに基づき、制御信号を生成し該慣性検出パラメータと共に伝送する、無線伝送制御ユニットと、該慣性検出パラメータを受信して演算を行う電子装置と、を包含する。
【００１０】
さらに別の実施例において、本発明は一種の受信装置を提供し、それは、制御信号を受信し、それをデコードして少なくとも一つの慣性検出パラメータ、少なくとも一つの入力信号及び少なくとも一つの入力モードに復原する受信ユニットと、該受信ユニットに接続され、並びに該少なくとも一つの慣性検出パラメータに対して演算を行い解析により少なくとも一つの動作信号を得て、並びに該少なくとも一つの入力信号及び該少なくとも一つの入力モードに基づき操作制御信号を生成する演算ユニットと、該少なくとも一つの動作信号と該操作制御信号を電子装置に伝送する接続インタフェースユニットと、を包含する。
【００１１】
また別の実施例において、本発明は一種のインタラクティブシステムを提供し、それは、少なくとも一つの操作動作を検出して少なくとも一つの第１慣性検出パラメータを生成する第１慣性センサを具えた慣性検出モジュールと、少なくとも一つの入力信号を生成するインタフェースユニットと、少なくとも一つの入力モードを選択し切り換えられる切り換えユニットと、少なくとも一つの操作動作を検出して第２慣性検出パラメータを生成する複数の第２慣性センサと、該慣性検出モジュール、該インタフェースユニット及び該切り換えユニットに接続され、該少なくとも一つの第１及び第２慣性検出パラメータ、該少なくとも一つの入力信号及び該少なくとも一つの入力モードに基づき制御信号を生成並びに伝送する無線伝送制御ユニットと、該制御信号を受信し、それをデコードして少なくとも一つの慣性検出パラメータ、少なくとも一つの入力信号及び少なくとも一つの入力モードに復原する受信装置と、該少なくとも一つの慣性検出パラメータ、少なくとも一つの入力信号及び少なくとも一つの入力モードに基づき演算を行う電子装置と、を包含する。
【発明の効果】
【００１２】
本発明は一種の慣性検出入力制御装置と受信装置及びそのインタラクティブシステムを提供し、それは慣性検出モジュールを利用して肢体動作の発生する動作パラメータを検出し並びに受信装置に伝送して演算を行い、人体の動作を識別し、これにより識別結果を電子装置に伝送して使用者とインタラクティブ動作を発生させる。
【００１３】
本発明は一種の慣性検出入力制御装置と受信装置及びそのインタラクティブシステムを提供し、該慣性検出入力制御装置は複数種類の入力インタフェースを整合し、並びに入力インタフェースを選択して受信装置に伝送し、受信装置が選択に基づき電子装置を異なる操作モードに進入させ、使用者が単一制御インタフェースを使用して異なる要求の入力を行えるようにする。
【００１４】
本発明は一種の慣性検出入力制御装置と受信装置及びそのインタラクティブシステムを提供し、そのうち、慣性検出入力制御装置は生成した動作パラメータを直接電子装置に伝送可能で、電子装置に更にパラメータに基づき動作或いは状況を判定させ、インタラクティブ動作の多様性を増す。
【発明を実施するための最良の形態】
【００１５】
図１を参照されたい。該図は本発明の慣性検出入力制御装置と受信装置で構成されたインタラクティブシステムの第１実施例表示図である。該インタラクティブシステム２は、電子装置２０、受信装置２１及び慣性検出入力制御装置２３を包含する。該インタラクティブシステム２は使用者に該慣性検出入力制御装置２３及び受信装置２１を通して電子装置２０内のマルチメディアソフトとインタラクティブ動作を実行させる。該電子装置２０はコンピュータ或いはその他の演算処理能力を具備するゲーム機とフラットパネルディスプレイの組合せとされ得る。本実施例では、該電子装置２０はコンピュータとされる。該受信装置２１は接続素子２１３で該電子装置２０に接続される。本実施例では、接続の方式にＵＳＢが使用されるが、これに限定されるものではない。
【００１６】
該慣性検出入力制御装置２３は、無線通信の方式で情報を該受信装置２１に伝送する。該無線通信方式にはブルートゥース通信或いはＲＦ通信のいずれかが選択され得るが、これに限定されるものではない。該慣性検出入力制御装置２３の前端には電源スイッチ２３０があり、そのほか、その表面に複数のボタン、例えば、十字ボタン２３１、前キー２３２、Ａキー２３３、制御キーセット２３４及びＢキー２３５等がある。前述の制御キーアセンブリは必要に応じて増加或いは減少され、並びに本発明に記載の実施例に限定されるものではない。該慣性検出入力制御装置２３の一側に電池セット２４が置かれて必要な電源を供給する。このほか、該慣性検出入力制御装置２３ケースの後端に更に充電インタフェース２５が設置されて、使用者が随時該充電インタフェース２５を通して充電できる。充電の方式は周知の技術とされるためここでは説明を省略する。
【００１７】
図２は本発明の慣性検出入力制御装置と受信装置の第１実施例のブロック図である。該慣性検出入力制御装置２３は慣性検出モジュール２３６、切り換えユニット２３８、無線伝送制御ユニット２３９及びインタフェースユニット２３７を具えている。該慣性検出モジュール２３６は、少なくとも一つの慣性センサを具え、少なくとも一つの操作動作を検出して少なくとも一つの慣性検出パラメータを生成する。該慣性センサはジャイロスコープ或いは加速度センサとされ得る。該慣性センサは使用者の肢体の動作を検出でき、これにより該慣性センサの設置位置は該慣性検出入力制御装置内に設置可能であるほか、人体肢体の特定部、例えば、腹部、前腕、大腿等の位置とされ得るが、これに限定されるものではない。本実施例では、該慣性センサは該慣性検出入力制御装置２３内に設置される。
【００１８】
該インタフェースユニット２３７は、少なくとも一つの入力信号を生成可能で、該インタフェースユニット２３７は図１中の制御キーアセンブリと電気的に接続されている。使用者が該慣性検出入力制御装置任意のキー或いはキーアセンブリを押し下げる時、該インタフェースユニット２３７は信号を受診し、信号を該無線伝送制御ユニット２３９に伝送する。該切り換えユニット２３８は、図１中のモード切り換えキー２３４３と電気的に接続され、少なくとも一つの入力モードを選択して切り換えられる。前述の入力モードは使用者入力インタフェースＩ／Ｏの入力モード、例えばキーボード、マウス或いはジョイスティックを指すが、これに限定されるものではない。該無線伝送制御ユニット２３９は該慣性検出モジュール２３６、該インタフェースユニット２３７及び該切り換えユニット２３８と接続される。該無線伝送制御ユニット２３９は少なくとも一つの慣性検出パラメータ、該少なくとも一つの入力信号及び該少なくとも一つの入力モードに基づき、制御信号を生成して該受信装置２１に伝送する。該無線伝送制御ユニット２３９はＲＦ方式、例えばＲＦＩＤ或いはブルートゥースの方式を利用して受信装置と相互に通信可能である。
【００１９】
該受信装置２１は受信ユニット２１０、演算ユニット２１１及び接続インタフェースユニット２１２を具えている。該受信ユニット２１０は制御信号を受信し、それをデコードして少なくとも一つの慣性検出パラメータ、少なくとも一つの入力信号及び少なくとも一つの入力モードに復原する。該演算ユニット２１１は、該受信ユニット２１０と接続され、並びに少なくとも一つの慣性検出パラメータに対して演算を行い少なくとも一つの動作信号を解析し、並びに少なくとも一つの入力信号、及び該少なくとも一つの入力モードに基づき操作制御信号を生成する。該接続インタフェースユニット２１２は該少なくとも一つの動作信号及び該操作制御信号を該電子装置２０に伝送する。該接続インタフェースユニット２１２と該電子装置２０の間の接続方式は無線或いは有線の方式を利用可能である。そのうち無線の方式はブルートゥース或いはＲＦ通信を選択可能であり、例えばＲＦＩＤを利用可能である。有線の方式としてはＵＳＢを利用可能であるが、これに限定されるものではない。その他の接続ポート例えばＲＳ２３２或いはＳＣＳＩの接続ポートも運用可能である。
【００２０】
続いて、本発明の慣性検出入力制御装置と受信装置の間の動作について説明する。図１、２に示されるように、使用者がマルチメディアゲーム或いはインタラクティブソフトを使用する時、使用者は肢体により該慣性検出入力制御装置２３を操作し、その後、該慣性検出モジュール２３６が肢体の動作を検出して慣性検出パラメータを生成する。ゲーム或いはソフトの実行の過程で、使用者は制御キー、例えば、十字ボタン２３１、Ａキー２３３、及びＢキー２３５等により制御することでインタラクティブ動作の多元性を増すことができる。
【００２１】
インタラクティブ動作の過程で、該切り換えユニット２３８が使用者がモード切り換えキーで切り換え選択した入力モードの組合せを検出できる。図３は本発明の入力モード選択判断フローチャートである。まず、ステップ３０において、切り換えユニット２３８がモード切り換えキー２３４３の選択に基づき入力モード切り換えに進入する。該切り換えユニット２３８はマウス入力モードフラグ、ジョイスティック入力モードフラグ及びキーボード入力モードフラグの値を判断して、入力モード選択を行う。入力モードと各フラグ値の間の関係は図４に示されるようである。さらに、図３に戻り、その後、ステップ３１を実行し、受信装置２１の演算ユニット２１１が切り換えモードを検出した後、さらにステップ３２を実行し、検出した切り換えモードに基づき、情報を電子装置２０に伝送する。例えば、もしジョイスティック入力モードフラグ及びキーボード入力モードフラグの値が１と判断されたなら、ジョイスティックにキーボードを加えた入力モードの組合せを選択して、電子装置とのコミュニケーションの基礎となす。
【００２２】
さらに図１と図２に示されるように、本実施例では、使用者がマウス入力モードを選択した場合を例とすると、その慣性検出入力制御装置上の各キーの実際のマウスに対応する制御関係は図５に示されるようである。すなわち、使用者がマウス入力モードを選択した時、まだマウスを操作していなくとも、該慣性検出入力制御装置２３を通してマウスの制御をシミュレートでき、該電子装置２０上でインタラクティブ動作の効果を生成できる。例えば、使用者が単純に慣性検出入力制御装置２３の左キー２３４０、中キー２３４１、右キー２３４２を押し下げる時、真実のマウスの左キー、中キー、右キーに対応し得る。もしマウスカーソルを制御する必要があるときは、該慣性検出入力制御装置２３の移動により電子装置２０中のカーソルの指向を制御できる。
【００２３】
このほか、図６及び図７を参照されたい。そのうち図６はジョイスティック入力モード時の慣性検出入力制御装置の入力組合せとジョイスティック入力の対応表示図である。図７はキーボード入力モード時の慣性検出入力制御装置の入力組合せとキーボード入力の対応表示図である。図６に図１を併せて参照されたいが、使用者が慣性検出入力制御装置２３の左キー２３４０、右キー２３４２或いは中キー２３４１等を利用してジョイスティックの入力キーに対応することができる。また、図６に示されるように、使用者は更に多くの異なる動作を利用して、該慣性検出入力制御装置２３にに異なる動作が生成する慣性検出パラメータを検出させて、更に多くのモードを組合せ、キーボードのキーに対応させることができる。これにより使用者は任意に電子装置２０に対する入力モードを切り換えることができ、更に多くのインタラクティブ状況を創造できる。
【００２４】
図８は本発明の慣性検出入力制御装置と受信装置の第２実施例のブロック図である。本実施例中、基本的には図２と同じであるが、異なるところは、該無線伝送制御ユニットが慣性検出モジュール２３６の検出した慣性検出パラメータを直接該電子装置２０に伝送でき、該電子装置２０に直接演算を実行させられ、これによりマルチメディアソフト或いはゲームの更に多くの動作判断及びインタラクティブ動作の状況を触発できることにある。
【００２５】
図９は本発明の慣性検出入力制御装置と受信装置で構成されたインタラクティブシステムの第２実施例表示図である。本実施例中、該インタラクティブシステム２はマルチメディア装置２６、受信装置２１、慣性検出入力制御装置２３及び第２慣性検出モジュール２７を具備する。本実施例中、該マルチメディア装置２６は演算処理能力を具備するゲーム機とフラットパネルディスプレイの組合せとされ得る。該受信装置２１と該慣性検出入力制御装置２３は図１及び図２に示される構造とされるため、重複した説明は行わない。
【００２６】
該第２慣性検出モジュール２７は、複数の第２慣性センサ２７１〜２７５を具備し、それは可動物体に設置されて可動物体の動作を検出して複数の第２慣性検出パラメータを生成する。本実施例では、該可動物体は人体とされ、設置の位置は人体の各肢体上及び腹部とされる。図１０は本発明の第２慣性センサの利用の表示図である。本実施例中、該第２慣性センサ２７１〜２７５は更に無線発射器２７１０を具え、検出した第２慣性検出パラメータを該慣性検出入力制御装置２３に伝送できる。
【００２７】
該慣性検出入力制御装置及び該受信装置の間の動作は、前述したとおりであるため、詳しい説明は行わない。図９と図１０のように、該第２慣性検出モジュール２７中の第２慣性センサ２７１〜２７５が第２慣性検出パラメータを検出する時、無線発射器２７１０を通して該慣性検出入力制御装置２３の受信モジュール２３９１に発送し、その後、該受信モジュール２３９１がそれを受信した後に、信号を該無線伝送制御ユニット２３９に送り、その後の動作は前述したとおりである。このほか、本実施例中、使用者の肢体上に複数の第２慣性センサ２７１〜２７５が設置されたことにより、使用者が電子装置とインタラクティブ動作する時の状況が更に多元となる。当然、図９と図１０の実施例中、慣性検出入力制御装置２３の切り換えユニット２３８の選択によっても該慣性検出入力制御装置２３と第２慣性検出モジュール２７の生成するキーと動作の組合せを、図５から図７の異なる入力インタフェースに対応させることができる。
【００２８】
以上は本発明の好ましい実施例の説明に過ぎず、本発明の範囲を限定するものではない。本発明の特許請求の範囲の記載の基づきなし得る同等の変化と修飾は、本発明の精神と範囲から離脱しない。例えば、図５から図７は個別にキーボード、マウス或いはジョイスティックに対応するが、この技術を熟知する者であれば本発明の説明に基づき、図５から図７を任意に組み合わせることができる。すなわち、図４に示される組合せに基づき、使用者はただ慣性検出入力制御装置のみ或いは慣性検出入力制御装置とその他の慣性センサの組合せを利用して任意の入力インタフェースに対応可能で、これにより異なる状況下で異なる入力インタフェースを必要とする問題を免除できる。使用者は単一の制御装置を利用して各種の異なる要求の入力を行える。
【００２９】
総合すると、本発明の提供する慣性検出入力制御装置と受信装置は、肢体の時間に伴う連続動作のパラメータを検出でき、並びに複数種類の異なる入力モードを整合し、受信装置に動作パラメータを受信させた後に、該入力モードに基づき、電子装置を異なる操作モードに進入させることができる。これにより業界の要求を満足させられ、これにより該産業の競争力を高めると共に周辺産業の発展に寄与し、特許の要件を具備している。
【図面の簡単な説明】
【００３０】
【図１】本発明の慣性検出入力制御装置と受信装置で構成されたインタラクティブシステムの第１実施例表示図である。
【図２】本発明の慣性検出入力制御装置と受信装置の第１実施例のブロック図である。
【図３】本発明の入力モード選択判断フローチャートである。
【図４】本発明の入力モード組合せ表示図である。
【図５】本発明のマウス入力モード時の慣性検出入力制御装置の入力の異なる入力インタフェースの対応の表示図である。
【図６】本発明のマウス入力モード時の慣性検出入力制御装置の入力の異なる入力インタフェースの対応の表示図である。
【図７】本発明のマウス入力モード時の慣性検出入力制御装置の入力の異なる入力インタフェースの対応の表示図である。
【図８】本発明の慣性検出入力制御装置と受信装置の第２実施例のブロック図である。
【図９】本発明の慣性検出入力制御装置と受信装置で構成されたインタラクティブシステムの第２実施例表示図である。
【図１０】本発明の慣性検出入力制御装置と受信装置の第３実施例のブロック図である。
【符号の説明】
【００３１】
２  インタラクティブシステム              ２０  電子装置
２１  受信装置                            ２１０  受信ユニット
２１１  演算ユニット                      ２１２  接続インタフェースユニット
２１３  接続素子                          ２３  慣性検出入力制御装置
２３０  電源スイッチ                      ２３１  十字ボタン
２３２  前キー                            ２３３  Ａキー
２３４  制御キーセット                    ２３４０  左キー
２３４１  中キー      ２３４２  右キー    ２３４３  モード切り換えキー
２３５  Ｂキー                            ２３６  慣性検出モジュール
２３７  インタフェースユニット            ２３８  切り換えユニット
２３９  無線伝送制御ユニット              ２３９１  受信モジュール
２４  電池セット                          ２５  充電インタフェース
２６  マルチメディア装置                  ２７  第２慣性検出モジュール
２７１〜２７５  第２慣性センサ            ２７１０  無線発射器
３  判断フロー                            ３０〜３２  ステップ
４３  第２慣性センサ                      ４３１〜４３５  第２慣性センサ
４３１０  無線発射器                      ８  操作者
【図１】
2009048600.tif 000003
【図２】
2009048600.tif 000004
【図３】
2009048600.tif 000005
【図４】
2009048600.tif 000006
【図５】
2009048600.tif 000007
【図６】
2009048600.tif 000008
【図７】
2009048600.tif 000009
【図８】
2009048600.tif 000010
【図９】
2009048600.tif 000011
【図１０】
2009048600.tif 000012